(57)【要約】【課題】      牽引ロープを通じて不快な衝撃が釣り人に伝わることを防止した釣り用引き舟を提供すること。【解決手段】  釣り用引き舟１は、内部に魚を収容できる空間を有する容器２とこの容器２を持ち運ぶためのハンドル部３と釣り用引き舟１を流れに引き流したときに流失を防止する牽引ロープ５を有している。牽引ロープ５は、合成樹脂やゴム等の１０６Ｎ／ｍ２から１０８Ｎ／ｍ２の弾性率の材料で形成され、長手方向に４０Ｎの荷重で引くと５％から１６％伸びて振動を緩和し、不快な衝撃が釣り人に伝わることを防止する。【選択図】        図２
2009055880.tif 000002
【特許請求の範囲】
【請求項１】
長手方向に４０Ｎの荷重で引くと５％から１６％伸びる牽引ロープを取り付けたことを特徴とする釣り用引き舟。
【請求項２】
容器の前方側に一対の支持紐を有するハンドル部を取り付けると共に、前記ハンドル部に牽引ロープを取り付け、前記牽引ロープは前記支持紐より伸びが大きいことを特徴とする請求項１記載の釣り用引き舟。
【発明の詳細な説明】
【技術分野】
【０００１】
本発明は、牽引ロープを有する釣り用引き舟に関する。
【背景技術】
【０００２】
従来から釣りを行う時には、牽引ロープを有する釣り用引き舟が多く使用されている。
これらの釣り用引き舟は、水の中に立ち込んで釣りをするときに魚を入れた容器を水につけて魚を生かした状態で引き流し、牽引ロープで流失しないように保持している。
【０００３】
このような釣り用引き舟は、手元から流下させたときやバランスを崩して急に速い流れに引き込まれた時など、牽引ロープを通じて引き込むような衝撃となって釣り人に伝えられるため不快であった。
【０００４】
しかし、従来の釣り用引き舟は、牽引ロープは、容器が流れに負けないようにするため丈夫で伸びが少ないナイロンなどの組紐が使用されていた。
【特許文献１】実用新案登録第２５５８１８９号公報
【発明の開示】
【発明が解決しようとする課題】
【０００５】
解決しようとする課題は、従来の釣り用引き舟の牽引ロープは伸びが少ないため容器の振動が牽引ロープを通じて引き込むような不快な衝撃となって釣り人に伝わることである。
【０００６】
本発明の目的は前記欠点に鑑み、牽引ロープを通じて不快な衝撃が釣り人に伝わることを防止した釣り用引き舟を提供することである。
【課題を解決するための手段】
【０００７】
上記課題を解決するために、
請求項１に係わる本発明は、長手方向に４０Ｎの荷重で引くと５％から１６％伸びる牽引ロープを取り付けたことを要旨とするものである。
請求項２に係わる本発明は、容器の前方側に一対の支持紐を有するハンドル部を取り付けると共に、前記ハンドル部に牽引ロープを取り付け、前記牽引ロープは前記支持紐より伸びが大きいことを要旨とするものである。
【発明の効果】
【０００８】
本発明によると、釣り用引き舟を流れに引き流している時に牽引ロープを通じて引き込むような衝撃が釣り人に伝わることを防止することができる。
【発明を実施するための最良の形態】
【０００９】
以下、本発明の実施形態を図面に基づき説明すると、図１、図２は本発明の実施例で、図１は釣り用引き舟の使用状態図、図２は釣り用引き舟の全体図である。
【００１０】
本願を図１から図２のように、魚を入れる容器として鮎釣り等に用いた場合で説明すると、釣り用引き舟１は、内部に魚を収容できる空間を有する容器２とこの容器２を持ち運ぶためのハンドル部３と釣り用引き舟１を流れに引き流したときに流失を防止して牽引する牽引ロープ５を有している。
【００１１】
釣り人Ｔは、流れの中に立ち込んだ時、身につけたベルト等に牽引ロープ５の一端側に取り付けた係止具６を係止して自分の下流側に牽引ロープ５で容器２を引き流しながら水に浮かべて釣りを行うことができる。
【００１２】
容器２は前方側が尖った船形の容器で浮力体を内蔵し内部に水を入れた状態で水に浮くように形成されている。
また、上面側に投入口とこの投入口を開閉する蓋を有し、内部は魚が収容可能になっている。
なお、容器２は水に浮く容器であれば船形以外の形状でもよい。
【００１３】
容器２の前方側にはハンドル部３が取り付けられ、ハンドル部３は、合成樹脂で略三角状に形成された握持部３ａとこの握持部３ａの左右両側から延びる一対の支持紐４、４を有し、容器２が流れに安定するように一対の支持紐４、４は容器２に向けて互いの距離が広がってハ字状になるようにそれぞれ容器２の前方側の左右両側に連結されている。
【００１４】
支持紐４は、内部がナイロンやポリエチレン等の合成樹脂繊維を複数本合わせた組紐で形成されている。
この支持紐４は、後に説明する牽引ロープ５に比べ伸びが小さく、ハンドル部３で、釣り用引き舟１を持ち運ぶときに確実に容器２を支持し、揺れず安定して運べるようになっている。
【００１５】
一対の支持紐４、４は、それぞれハンドル部３に固定または抜け止めして取り付けられているが、１本の紐の中間をハンドル部３を介して取り付け左右両端側がハンドル部３から突出するようにして一対の支持紐としたり、また、支持紐４、４は固定せずにハンドル部３を介して長手方向に移動可能に係止して左右両端側がハンドル部３から突出するようにしてもよい。
【００１６】
牽引ロープ５は、ウレタン、シリコン等の合成樹脂やゴム等の１０６Ｎ／ｍ２から１０８Ｎ／ｍ２の弾性率の材料で形成され、断面が円形に形成された無垢の線材５ａで柔軟性および伸縮性を有している。
また、牽引ロープ５は、支持紐４より大きな伸びを有し、容器２を牽引しながら釣りをするときにその振動が緩和されて伝達されるようになっている。
【００１７】
釣り用引き舟１は、７．５リッターの容器２を有し、通常使用の流速０．５ｍ／秒から流速１．５ｍ／秒の流れにおいて１ｍの牽引ロープを付けてその端部を保持して流し止めた時の抵抗（釣り人に掛かる荷重）は５Ｎから２０Ｎ程度であるが、秒速１．５ｍ／秒程度の速い流れに手元から流し落とし牽引ロープが伸びきると４０Ｎ程度の抵抗となる。
この時、速い流れに引き込まれた釣り用引き舟１の抵抗は牽引ロープが伸びきると釣り人に急な衝撃となって伝わり、魚のあたりに集中している釣り人にとってたいへん不快である。
【００１８】
牽引ロープを１０７Ｎ／ｍ２の弾性率のウレタン製の無垢の材料からなるそれぞれ１ｍのロープＡ（直径３．０ｍｍ）、ロープＢ（直径４．０ｍｍ）、ロープＣ（直径５．０ｍｍ）、ロープＤ（直径６．０ｍｍ）、ロープＥ（直径７．０ｍｍ）、ロープＦ（直径８．０ｍｍ）を用意した時の牽引ロープの伸びを調べた。
【００１９】
常温にて、それぞれ１ｍのロープに長手方向に４０Ｎの荷重を掛けた時に生じた伸びは、ロープＡで１９５ｍｍ（伸び１９．５％）、ロープＢで１６０ｍｍ（伸び１６％）、ロープＣで１３０ｍｍ（伸び１３％）、ロープＤで８０ｍｍ（伸び８％）、ロープＥで５．０ｍｍ（伸び５％）、ロープＦで３．５ｍｍ（伸び３．５％）であり、さらに、従来品の牽引ロープであるナイロン組紐（直径５ｍｍ）で２０ｍｍ（伸び２％）であった。
【００２０】
これらロープＡからロープＦを取り付けた釣り用引き舟を図１のように一般の釣り人１０人に取り付けて流下させて４０Ｎの荷重を加えて不快な衝撃の有無について調べたところ、ロープＡ（有０人、無１０人）、ロープＢ（有０人、無１０人）、ロープＣ（有０人、無１０人）、ロープＤ（有０人、無１０人）、ロープＥ（有１人、無９人）、ロープＦ（有５人、無５人）、従来品のナイロン組紐（有１０人、無０人）となった。
この結果からロープＡ、ロープＢ、ロープＣ、ロープＤ、ロープＥについて衝撃が緩和され釣り人にとって不快な衝撃が伝わることが防止され適合と判断した。
【００２１】
ただし、ロープＡで１９５ｍｍ（伸び１９．５％）については不快な衝撃は無いものの、その伸びが大きいためにロープの伸びすぎに不安感を感じたり、流下した容器が遠くなるため不適合とした。
【００２２】
また、ロープＢ、ロープＣ、ロープＤ、ロープＥについてロープの長さを０．７ｍにして釣り人１０人に取り付けて流下させて４０Ｎの荷重を加えて不快な衝撃の有無について調べたが、不快な衝撃の有無についてはロープ長さ１ｍの時と同様であった。
【００２３】
本願の釣り用引き舟１の使用は、従来の釣り用引き舟を使用する時と同様に流れの中に立ち込んで身につけたベルト等に牽引ロープ５の一端側に取り付けた係止具６を係止して自分の下流側に牽引ロープ５で容器２を引き流しながら水に浮かべて釣りを行うが、従来のように徐々にロープを下流に送り込むなどの調節をする必要がなくなり手元で容器２を離して流下させても牽引ロープ５が衝撃を緩和して釣り人Ｔに不快な衝撃の伝達が防止される。
【００２４】
しかも、支持紐４は、ナイロン組紐（直径５ｍｍ）で２０ｍｍ（伸び２％）を使用しているため牽引ロープ５に比べ伸びが小さく、ハンドル部３で、釣り用引き舟１を持ち運ぶときには確実に容器２を支持し、揺れず安定して運べるようになっている。
【００２５】
なお、船形の容器の釣り用引き舟にて説明したが、水に浮かぶ容器を引き舟としているため船形以外の容器を有するものに採用してもよい。
【産業上の利用可能性】
【００２６】
本発明は、釣り用の釣り用引き舟全般に利用できる。
【図面の簡単な説明】
【００２７】
【図１】図１は、釣り用引き舟の使用状態図である。
【図２】図２は、釣り用引き舟の全体図である。
【符号の説明】
【００２８】
１    釣り用引き舟
２    容器
３    ハンドル部
４    支持紐
５    牽引ロープ
【図１】
2009055880.tif 000003
【図２】
2009055880.tif 000004